(57)【要約】【課題】  自然画像の特定エリアの色情報を取得する手段として有効な画像処理装置を提供する。【解決手段】  画像データはＬＣＤディスプレイ１０に表示可能な形式に変換してＳＤＲＡＭ１０２に保存する。表示出力制御部１０７は、ＳＤＲＡＭ１０２の画像データをＬＣＤディスプレイ１０にする。この表示出力している画像の画面の所定エリアに対応した画像データをＳＤＲＡＭ１０２から読み出し、その色情報を抽出して、ＬＣＤディスプレイ１０に表示する。【選択図】    図２
2006243410.tif 000002
【特許請求の範囲】
【請求項１】
画像データを表示装置に表示可能な形式に変換して記憶装置に保存する画像処理手段と、
前記記憶装置に記憶されている画像データを前記表示装置に出力するための表示信号出力手段と、
前記表示出力している画面の所定エリアに対応した画像データを前記記憶装置から読み出す読出手段と、
前記読出した色情報を抽出する色情報抽出手段と、
を備えていることを特徴とする画像処理装置。
【請求項２】
前記画像データが生成されたときの色に関する画像生成条件を判断可能な情報を前記メモリから読み出す色生成条件読出手段をさらに備えていることを特徴とする請求項１の画像処理装置。
【請求項３】
前記色情報抽出手段は、あらかじめ設定された色変換条件により色変換をした結果に基づいて前記色情報の抽出を行うことを特徴とする請求項１の画像処理装置。
【請求項４】
前前記画像データの出力に同期して前記抽出した色情報を画像とともに前記表示装置に表示させる表示手段をさらに備えていることを特徴とする請求項１乃至３のいずれか一項に記載の画像処理装置。
【請求項５】
前記抽出した色情報を音声出力する音声出力手段をさらに備えていることを特徴とする請求項１乃至４のいずれか一項に記載の画像処理装置。
【請求項６】
前記色情報抽出手段の動作を有効とするか否かを選択する機能選択手段をさらに備えていることを特徴とする請求項１乃至５のいずれか一項に記載の画像処理装置。
【請求項７】
前記画像データの画面上のエリアを所望に選択する指定操作手段をさらに備え、
前記色情報抽出手段は、前記エリア内の画像から前記色情報の抽出を行なうことを特徴とする請求項１または３乃至６のいずれか一項に記載の画像処理装置。
【請求項８】
前記色情報抽出手段は、前記エリアのデータの平均値から前記色情報の抽出を行なうことを特徴とする請求項７に記載の画像処理装置。
【請求項９】
前記色情報をＲＧＢの値に変換するＲＧＢ変換手段と、
前記ＲＧＢの数値を前記表示手段又は前記音声出力手段により画面表示または音声によって出力するＲＧＢ出力手段と、
をさらに備えていることを特徴とする請求項４又は５に記載の画像処理装置。
【請求項１０】
前記色情報をＹＵＶの値に変換するＹＵＶ変換手段と、
前記ＹＵＶの数値を前記表示手段又は前記音声出力手段により画面表示または音声によって出力するＹＵＶ出力手段と、
をさらに備えていることを特徴とする請求項４又は５に記載の画像処理装置。
【請求項１１】
前記色情報をＸＹＺの値に変換するＸＹＺ変換手段と、
前記ＸＹＺの数値を前記表示手段又は前記音声出力手段により画面表示または音声によって出力するＸＹＺ出力手段と、
をさらに備えていることを特徴とする請求項４又は５に記載の画像処理装置。
【請求項１２】
前記色情報をＣＩＥＬＡＢの値に変換するＣＩＥＬＡＢ変換手段と、
前記ＣＩＥＬＡＢの数値を前記表示手段又は前記音声出力手段により画面表示または音声によって出力するＣＩＥＬＡＢ出力手段と、
をさらに備えていることを特徴とする請求項４又は５に記載の画像処理装置。
【請求項１３】
前記抽出した色情報を色名に置き換える色情報判別手段と、
前記色名を前記表示手段又は前記音声出力手段により画面表示または音声によって出力する色名出力手段と、
をさらに備えていることを特徴とする請求項４又は５に記載の画像処理装置。
【請求項１４】
前記抽出した色情報を色の空間又は平面の図上の位置に置き換える色情報図作成手段と、
前記色情報を図によって前記表示手段により表示する色情報出力手段と、
をさらに備えていることを特徴とする請求項４又は５に記載の画像処理装置。
【請求項１５】
前記抽出した色情報を前記画像データとともに前記記憶装置に記憶する保存手段を備えていることを特徴とする請求項１乃至１４のいずれか一項に記載の画像処理装置。
【請求項１６】
前記保存手段は、前記色情報を抽出したエリアを前記画像データとともに前記記憶装置に記憶することを特徴とする請求項１５の画像処理装置。
【請求項１７】
前記画像データを前記抽出した色情報もあわせて送信する通信手段をさらに備えていることを特徴とする請求項１乃至１６のいずれか一項に記載の画像処理装置。
【請求項１８】
請求項１乃至１７のいずれか一項に記載の画像処理装置は、画像撮影機能を有しており、前記画像データは、前記画像処理装置により撮影した画像であることを特徴とする画像処理装置。
【発明の詳細な説明】
【技術分野】
【０００１】
本発明は、色を正しく把握できる補助機能を備えた画像処理装置に関する。
【背景技術】
【０００２】
特許文献１に開示の技術では、デジタル複写機に画像から色名を付すべき領域を抽出する手段と、慣用色名データベースを参照して抽出された領域の色名を特定する手段と、画像に色名表示を合成する手段とを備えている。
これにより、印刷された画像に色名表示を合成することが可能となり、色覚障害者であっても印刷後の画像における色を容易に把握することができる。
【特許文献１】特開２００１−２５７８６７公報
【発明の開示】
【発明が解決しようとする課題】
【０００３】
色覚異常には、一般に色盲や色弱と呼ばれる色覚異常や加齢による色の見分けが出来なくなる色覚異常がある。このような色覚障害者は、物の色により、その色を正しく認識できない場合がある。
この色覚異常に対しての補助機能として、ＰＣではマウスが指している一点の画素のＲＧＢ値や色名の表示をコンピュータに実行させるソフトウェアが知られている。
また、特許文献１において、印刷する対象の画像に対して色の抽出をして色名を付けて印刷を行うことが提案されている。
しかしながら、ＰＣ（パソコン）の場合は、ＰＣの画面に表示された１画素のデータ表示であり、ＤＳＣで撮影した画像などの自然画像の場合、被写体の不規則な色変化やノイズの影響などにより、１画素のデータがその物体の人間が認識する色合いと違っている場合がある。
また、特許文献１の技術は印刷時の処理であるため、一度プリント出力をする必要があり、コストと時間がかかってしまう問題がある。
さらに、ＤＳＣで撮影したような自然画像では色が少しずつ変化していたり、物体の色むらがあったり、ノイズなどがあり、色の境界線を抽出することが困難である。そのため、特許文献１の技術では、実施例にあるような色分けされたグラフの色の抽出には有効であるが、自然画像には適していない。
そのうえ、上記のようなソフトウェアや印刷装置は携帯することは困難であるという問題もある。すなわち、物品を購入するときにはその場で色の情報が必要なため、携帯性と即時性が要求される。しかし、上記のようなソフトウェアや印刷装置はこの要求を満たすことは困難である。
そこで、本発明の目的は、自然画像の特定エリアの色情報を取得する手段として有効な画像処理装置を提供することである。
【課題を解決するための手段】
【０００４】
請求項１に記載の発明は、画像データを表示装置に表示可能な形式に変換して記憶装置に保存する画像処理手段と、前記記憶装置に記憶されている画像データを前記表示装置に出力するための表示信号出力手段と、前記表示出力している画面の所定エリアに対応した画像データを前記記憶装置から読み出す読出手段と、前記読出した色情報を抽出する色情報抽出手段と、を備えていることを特徴とする画像処理装置である。
請求項２に記載の発明は、請求項１の画像処理装置において、前記画像データが生成されたときの色に関する画像生成条件を判断可能な情報を前記メモリから読み出す色生成条件読出手段をさらに備えていることを特徴とする。
請求項３に記載の発明は、請求項１の画像処理装置において、前記色情報抽出手段は、あらかじめ設定された色変換条件により色変換をした結果に基づいて前記色情報の抽出を行うことを特徴とする。
請求項４に記載の発明は、請求項１乃至３のいずれか一項に記載の画像処理装置において、前前記画像データの出力に同期して前記抽出した色情報を画像とともに前記表示装置に表示させる表示手段をさらに備えていることを特徴とする。
請求項５に記載の発明は、請求項１乃至４のいずれか一項に記載の画像処理装置において、前記抽出した色情報を音声出力する音声出力手段をさらに備えていることを特徴とする。
請求項６に記載の発明は、請求項１乃至５のいずれか一項に記載の画像処理装置において、前記色情報抽出手段の動作を有効とするか否かを選択する機能選択手段をさらに備えていることを特徴とする。
【０００５】
請求項７に記載の発明は、請求項１または３乃至６のいずれか一項に記載の画像処理装置において、前記画像データの画面上のエリアを所望に選択する指定操作手段をさらに備え、前記色情報抽出手段は、前記エリア内の画像から前記色情報の抽出を行なうことを特徴とする。
請求項８に記載の発明は、請求項７に記載の画像処理装置において、前記色情報抽出手段は、前記エリアのデータの平均値から前記色情報の抽出を行なうことを特徴とする。
請求項９に記載の発明は、請求項４又は５に記載の画像処理装置において、前記色情報をＲＧＢの値に変換するＲＧＢ変換手段と、前記ＲＧＢの数値を前記表示手段又は前記音声出力手段により画面表示または音声によって出力するＲＧＢ出力手段と、をさらに備えていることを特徴とする。
請求項１０に記載の発明は、請求項４又は５に記載の画像処理装置において、前記色情報をＹＵＶの値に変換するＹＵＶ変換手段と、前記ＹＵＶの数値を前記表示手段又は前記音声出力手段により画面表示または音声によって出力するＹＵＶ出力手段と、をさらに備えていることを特徴とする。
請求項１１に記載の発明は、請求項４又は５に記載の画像処理装置において、前記色情報をＸＹＺの値に変換するＸＹＺ変換手段と、前記ＸＹＺの数値を前記表示手段又は前記音声出力手段により画面表示または音声によって出力するＸＹＺ出力手段と、をさらに備えていることを特徴とする。
請求項１２に記載の発明は、請求項４又は５に記載の画像処理装置において、前記色情報をＣＩＥＬＡＢの値に変換するＣＩＥＬＡＢ変換手段と、前記ＣＩＥＬＡＢの数値を前記表示手段又は前記音声出力手段により画面表示または音声によって出力するＣＩＥＬＡＢ出力手段と、をさらに備えていることを特徴とする。
【０００６】
請求項１３に記載の発明は、請求項４又は５に記載の画像処理装置において、前記抽出した色情報を色名に置き換える色情報判別手段と、前記色名を前記表示手段又は前記音声出力手段により画面表示または音声によって出力する色名出力手段と、をさらに備えていることを特徴とする。
請求項１４に記載の発明は、請求項４又は５に記載の画像処理装置において、前記抽出した色情報を色の空間又は平面の図上の位置に置き換える色情報図作成手段と、前記色情報を図によって前記表示手段により表示する色情報出力手段と、をさらに備えていることを特徴とする。
請求項１５に記載の発明は、請求項１乃至１４のいずれか一項に記載の画像処理装置において、前記抽出した色情報を前記画像データとともに前記記憶装置に記憶する保存手段を備えていることを特徴とする。
請求項１６に記載の発明は、請求項１５の画像処理装置において、前記保存手段は、前記色情報を抽出したエリアを前記画像データとともに前記記憶装置に記憶することを特徴とする。
請求項１７に記載の発明は、請求項１乃至１６のいずれか一項に記載の画像処理装置において、前記画像データを前記抽出した色情報もあわせて送信する通信手段をさらに備えていることを特徴とする。
請求項１８に記載の発明は、請求項１乃至１７のいずれか一項に記載の画像処理装置は、画像撮影機能を有しており、前記画像データは、前記画像処理装置により撮影した画像であることを特徴とする。
【発明の効果】
【０００７】
請求項１に記載の発明によれば、表示出力している画像の画面の所定のエリアに対応した画像データを記憶装置から読み出して色情報を抽出するので、その色情報を使用者に報知すれば使用者が容易に色情報を取得することができる。
請求項２に記載の発明によれば、画像を生成したときの条件を読出して認識することができるので、画像を再生する場合により正確に色再現ができ、正しく色情報の表示ができる。
請求項３に記載の発明によれば、画像が動画か静止画かなどで色条件を変えることで、画像が生成された条件を推定して条件を変えて、より正確な色の再現ができる。
請求項４に記載の発明によれば、抽出した色情報を同一画面に表示することで、１つの画面で容易に色情報を得ることができる。
請求項５に記載の発明によれば、表示上の制限などにより大きな文字が使用できない場合に、正確に色情報を取得することができる。また、色覚障害者は視力も悪い場合があり、この場合も音声出力による情報出力は有効な手段となる。
請求項６に記載の発明によれば、色情報を必要とする使用者、必要としない使用者かにより機能を実行するか否かを洗濯することができる。
請求項７に記載の発明によれば、表示されている画面内のどの部分を抽出するかを選択できるので、大きさの変更をすれば、色情報を抽出したい部分のサイズが異なっている場合でも容易に対応できるようになる。
請求項８に記載の発明によれば、ＣＣＤやＣＭＯＳセンサを用いたＤＳＣで記録された画像データには一般的にノイズ成分があるのに対して、エリア内に画素の平均値を取ることで、このノイズによる影響を軽減できる。また、色抽出対象自体に色のむらがあったとしてもその影響を軽減できる。
請求項９〜１２に記載の発明によれば、ＲＧＢ、ＹＵＶ、ＸＹＺ、ＣＩＥＬＡＢなどの数値で表示することで、正確な値を色情報と取得することができる。また、正確な数値データなので、健常者が利用しても簡易の色度計として利用することが可能である。
【０００８】
請求項１３に記載の発明によれば、色情報をＲＧＢ等の数値データで表示しても、それがどのような色であることかを感覚的に把握できない人もおり、また、正確な色よりも大まかな色の情報が欲しい場合もあので、このような場合、正確な色の数値よりも慣用的な色の名称を表示が適している。そのため、色情報を色の名称に置き換えて表示することで、より多くの人にわかりやすい色情報を提供することができる。
請求項１４に記載の発明によれば、色情報をＲＧＢ等の数値データで表示しても、それがどのような色であることかを感覚的に把握できない人もいるのに対して、正確な色情報が必要である場合は、色度図などの色を平面で表示した図の中のポイントを示すなどの図示をすることで、正確に色情報を把握することができる。
請求項１５に記載の発明によれば、画像データとともに色に関する情報を記録することで、もう一度再生処理を行うときには、色情報の再抽出を行わなくても、この情報を読み出して表示をすることができる。また、この情報を利用することの出来るシステムであれば、この情報を表示が可能となるとともに、その値に色を合わせることでより正確な色再現が可能となる。
請求項１６に記載の発明によれば、画像データとともに色情報と抽出した範囲が記録されていれば、もう一度再生処理を行うときにこの情報を読み出して、色情報の再抽出を行わなくてもどの部分がどのような色であるかの表示をすることができる。また、この情報を利用することの出来る画像再生システムであれば、色合わせなどを行う場合に、どの部分の色を合わせるかが明確になるため、より正確な色再現が可能となる。
請求項１７に記載の発明によれば、抽出した色情報を画像データとともに外部機器に送信する機能により、遠隔地でも物体の色が正確に把握できる。特に、受信側がモノクロ機器、例えばモノクロファクシミリであっても、被写体の色を把握することが可能となる。
請求項１８に記載の発明によれば、画像処理装置は画像撮影機能を有しており、その機器で撮影した画像を処理対象とすることができるので、画像入力の煩わしさを解消することができる。
【発明を実施するための最良の形態】
【０００９】
以下、本発明を実施するための最良の一形態について説明する。
本発明の画像処理装置を実施するものとして、圧縮画像を伸張して表示する機能を備えたデジタルスチルカメラＡについて説明する。
図１はデジタルスチルカメラＡの外観図である。図２はデジタルスチルカメラＡの電気的な接続を示すブロック図である。まず、図１、図２を参照して、再生動作における一般的な動作について説明をする。
モードダイアルＳＷ２を再生モードにしてカメラＡを起動すると、不揮発性メモリであるメモリカード１０１に保存されたＪＰＥＧ画像データ１０４はメディアインターフェース（Ｉ／Ｆ）１０５を介してＳＤＲＡＭ１０２に取り込まれる。このＪＰＥＧ画像データ１０４は、ＪＰＥＧ圧縮・伸張ブロック１０３で伸張されて、ＹＵＶデータ１０６としてＳＤＲＡＭ１０２に書き込まれる。この画像のサイズがそのまま表示可能なサイズの場合は、このデータをそのまま表示出力制御部１０７に送り、出力先のデータ形式にあわせて、同期信号などの信号付加処理をした後、カメラＡに内蔵されているＬＣＤ液晶ディスプレイ１０、又は図示しないＴＶへ出力される。この表示出力制御部１０７は１２８０×９６０画素以下のサイズの画像をそのまま入力可能である。
画像データが１２８０×９６０以上の場合は、リサイズ処理部１０８で縮小リサイズ処理を行い、表示可能なサイズである例えば６４０×４８０に縮小してＳＤＲＡＭ１０２に書き戻し、この画像を表示出力制御部１０７へ送って表示出力を行う。
メモリカード１０１に複数の画像が記録されている場合、右ボタンを押すことで次の画像へ、左ボタンを押すことで前の画像へ画像を切り替えることができる。またズームスイッチのテレ（ＳＷ４）で拡大、ワイドで縮小表示のようなズーム再生が可能である。
ＣＰＵ１０９は、このカメラＡの全体を集中的に制御しており、操作部１１０からの入力信号に対応して、メモリカード１０１からの画像の読み出し指示、伸張処理、リサイズ処理、表示出力制御部１０７の設定などの指示を行っており、各部はＣＰＵ１０９の指示に従い動作する。
【００１０】
また、後述する色情報の抽出および色情報の変換や情報表示制御もＣＰＵ１０９が行っている。色抽出を行うことの指示や色抽出エリア指定が操作部によって入力されると、操作部１１０の信号をＣＰＵ１０９が認識して、指示動作にあわせて色抽出を行い、指定された形式で表示および音声出力を行う。
音声出力制御部１１１は、ＣＰＵ１０９がＳＤＲＡＭ１０２より読み出した音声データを出力先の形式にあわせて変換処理などを行う出力制御を行っており、カメラＡがＴＶに接続されている場合はＴＶ出力、接続されていない場合はカメラＡに内蔵されたスピーカ１１２によって出力を行う。音声出力のボリュームはＣＰＵ１０９によって設定される。
これら再生処理と撮像処理のための回路は１チップで構成された信号処理ＩＣ１２１内部に構築されている。
ＳＤＲＡＭ１０２は、様々なデータ保管を行い、ＣＰＵ１０９のワークＲＡＭを兼ねている。
ＲＯＭ１１３には、カメラＡの制御を行う各種制御プログラムや後述の色名判定を行う時の情報などが記憶されていて、このプログラムおよびデータをもとにＣＰＵ１０９が動作する。
カメラＡは撮像動作も可能である。この場合の撮像手段は、レンズユニット１１４、レンズユニット１１４を駆動するモータドライバ１２０、ＣＣＤ１１５、ＣＣＤを駆動するＴＧ（制御信号発生器）１１６、ＣＣＤ出力電気信号（アナログ画像データ）をサンプリングするＣＤＳ１１７、このサンプリングされたデータのゲインを調整するＡＧＣ１１８、デジタル信号に変換するＡ／Ｄ変換器１１９から構成されている。レンズユニット１１４を介してＣＣＤ１１５で受光した画像は、デジタル映像信号に変換されて信号処理ＩＣ１２１に入力される。
信号処理ＩＣ１２１は、ＣＣＤ１１４への同期信号を出力と同期信号に合わせたデータの取り込みを行うＣＣＤインターフェース（Ｉ／Ｆ）１２２と、入力されたデジタル画像信号を表示可能や記録が可能なＹＵＶのデータ形式に変換するＹＵＶ変換部１２３なども含んでいる。符号１２４は、ＳＤＲＡＭ１０２を制御するメモリーコントローラである。
カメラＡを起動してモードダイアルＳＷ２を記録モードに設定すると、各ブロックが起動されて、ＣＣＤＩ／Ｆ１２２の同期信号に同期してＣＣＤ１１５からアナログ画像信号が出力される。このアナログ画像信号は、ＣＤＳ１１７で有効信号部分だけがサンプリングされ、ＡＧＣ１１８でゲイン調整を行った後に、Ａ／Ｄ変換器１１９でデジタル画像信号に変換される。
このデジタル画像信号は、ＣＣＤＩ／Ｆ１２２によって取り込まれて、ＳＤＲＡＭ１０２にＲＡＷデータ１２５として書き込まれる。ＳＤＲＡＭ１０２に書き込まれたデータは順次読み出されてＹＵＶ変換部１２３へ送られてＹＵＶ変換され、ＳＤＲＡＭ１０２に書き戻される。このＹＵＶ画像は、ＪＰＥＧ圧縮・伸張ブロック１０３でＪＰＥＧ圧縮が行われる。このＪＰＥＧ圧縮データ１０４はＳＤＲＡＭ１０２に書き戻され、ヘッダ追加などの処理が行われた後にメモリカード１０１へ画像データが保存される。
【００１１】
次に、本実施形態の特徴をなす処理について説明する。
まず、モードダイアルＳＷ２を再生モードに設定すると、メモリカード１０１から画像がＳＤＲＡＭ１０２読み出され、ＪＰＥＧ伸張処理を行った後に表示出力制御部１０７によってＬＣＤディスプレイ１０に画像表示が行われる。
この伸張処理において、カメラＡはＪＰＥＧデータ１０４のファイルのヘッダ情報の解析を行う。ヘッダにＪＦＩＦ情報があれば、この画像はＪＦＩＦの規定に基づいた画像が生成されたことがわかるため、表示をする場合にＪＰＥＧデータ１０４のファイルを伸張したＹＵＶのデータをＪＦＩＦの規格に適合した値に変換した後、表示処理および色情報抽出を行う。また、ヘッダにＮＴＳＣやｓＲＧＢで画像ファイルが生成されたことを示す情報があれば、これを用いて変換処理を行った後に表示処理および色情報抽出を行う。この処理によりより正確な色情報抽出が可能となる。
また、画像生成時の色情報がなかった場合は、例えば現在のＰＣで多く用いられているｓＲＧＢの規定にあわせた色変換を行う。この変換係数はＲＯＭ１１３に保存されている。
この色変換を行うことは、正確に色情報を再現することに非常に有効な手段ではあるが、高速で処理をする場合は専用ハードウェアが必要になる。またＣＰＵ１０９で処理をする場合は計算量が多くて処理時間がかかってしまうという問題がある。そのため大まかな色情報が要求されている機器や低価格の機器においては、この変換を行わない構成としてもよい。
【００１２】
図３は、このようにして得られた色情報をＬＣＤディスプレイ１０に表示した表示例である。この表示例では、２５５を最大値とする指定エリアのＲＧＢの各数値１０１と、図で表した被写体１０３の色の位置と色名（符号１０２）を同時に表示している。
図４は、ＬＣＤディスプレイ１０の表示の切り替わりを示している。カメラＡの背面にあるディスプレイスイッチＳＷ９によって画面の表示が切り替わる。図４（ａ）に示す様に、最初は画面全体の画像表示とＯＳＤ１２６によるコマ番号（符号３１１）と画像のサイズを表示される。この画像は、図４の例では、カードに記録されている２０コマのうちの１６番目画像であることと、サイズが６４０×４８０の画像であることが判る。
次に、ディスプレイスイッチＳＷ９を押すと、ＯＳＤ１２６の表示が消えて画像のみとなる（図４（ｂ））。さらに、もう一度ディスプレイスイッチＳＷ９を押すと、図３のような色情報表示となる（図４（ｃ））。この表示状態でＯＫボタンＳＷ１２を押すと、文字で表示されている色の情報が内蔵されたスピーカ１１２より音声によって出力される。
なお、この例では静止画の画像についての図例を出したが、動画についても同様の処理が可能である。ＯＳＤ１２６でコマ番号が表示されている画面で、左右ボタンを押すことで再生画像の送り戻しによる選択が出来る。動画が選択されているところでレリーズシャッタボタンＳＷ１を押すことで動画の再生が開始される。再生中にレリーズシャッタボタンＳＷ１を押すことで一時停止と再スタートをすることが出来る。一時停止状態でディスプレイボタンを押すことで、図４のような画面の変化が出来るため、動画の１コマについての色情報の抽出が可能である。
【００１３】
次に、具体的な色情報の方法について説明する。
色情報の抽出では、上記のような画像生成時の条件に合わせた色変換を行われ、ＳＤＲＡＭ１０２上におかれているＹＵＶデータ１０６をＣＰＵ１０９が読み出すことで行われる。
ＣＰＵ１０９は図３の四角２０４で指定されている部分のＹＵＶデータ１０６をＳＤＲＡＭ１０２から読み出し、そのエリアの平均値を作成する。この平均値で、ＲＧＢ値１０１、被写体２０４の位置、色名の表示２０２を更新する。
このようにエリア内の平均値を取ることで、ランダムに発生するノイズの影響などを軽減することができる。
色名を判別する閾値および色名はＲＯＭ１１３内に予め保存されており、そのデータをもとに色名を判別して表示を行う。図３では色名の表示２０１を「濃い赤」のように大まかな色の名称で表示しているが、もう少し詳しい色名を必要とするシステムでは、ＪＩＳで規定しているような色名を表示してもよい。
ＲＧＢ表示の場合は、読み出したＹＵＶの値をＲＧＢに換算して表示を行う。例えば以下の換算式を利用することで換算が出来る。
Ｙ＝0.299Ｒ＋0.589Ｇ＋0.114Ｂ
Ｕ＝Ｂ−Ｙ
Ｖ＝Ｒ−Ｙ
再生モードのメニューでは、表示する数値をＹＵＶ、ＸＹＺ、ＣＩＥＬＡＢのそれぞれの数値で表示するモードに切り替えることができる。
ＲＧＢからＸＹＺへの変換は、以下のような換算式を利用することで換算することができる。
Ｘ＝39.3Ｒ2.2＋36.5Ｇ2.2＋19Ｂ2.2
Ｙ＝21.2Ｒ2.2＋70.1Ｇ2.2＋8.6Ｂ2.2
Ｚ＝1.8Ｒ2.2＋11.2Ｇ2.2＋95.7Ｂ2.2
さらに、ＣＩＥＬＡＢへは、以下のような換算式を利用することで換算することができる。
Ｌ* ＝116（Ｙ／100）1/3 −16
ａ* ＝500〔（Ｘ／98）1/3 −（Ｙ／100）1/3〕
ｂ* ＝200〔（Ｙ／100）1/3 −（Ｚ／118）1/3〕
ここで算出されたＸＹＺやＣＩＥＬＡＢのデータを利用すれば、図３のような色度図における物体の色の位置を図示することが可能となる。
【００１４】
この色抽出された色情報は、音声出力装置である内蔵されているスピーカ１１２又はＴＶへ音声として出力される。音声データの合成は、ＣＰＵ１０９によって行われ、ＳＤＲＡＭ１０２上に作られる。このデータが再度ＣＰＵ１０９に読み込まれ、前述の音声出力装置に出力される。
また、色情報の抽出を行うエリア２０４は、サイズと位置を変更することが出来る。これは、図１の外観図の上下左右ボタンで位置が変更でき、ディスプレイボタンＳＷ７、ＳＷ８、ＳＷ１０、ＳＷ１１を押すことでエリア１０４の大きさを大・中・小の順番に変更させることができる。
被写体の画面内のサイズが大きければ、一番大きいエリアサイズを選ぶことで、平均値を取るデータ数が多くなるため、ノイズの影響をより受けにくくすることが出来る。
しかし、被写体が小さい場合は、エリア２０４のサイズを小さくすることで、不要な部分の影響を受けず、必要な部分のみの色情報が抽出できる。
このエリア２０４の位置およびサイズの変更を指示が入力されると、指示に対応して図３の四角のエリア２０４の位置およびサイズの表示が変更される。
【００１５】
本例では、伸張したＪＰＥＧ画像を表示用に６４０×４８０サイズに縮小して、表示出力制御部１０７にデータを送っている。色情報抽出は、この表示用データに対して行うことで処理の高速化を行っている。
しかし、より正確な情報を得るためには、平均値を作成するサンプリングデータが多くなるほどノイズ等の影響を排除できるので、６４０×４８０サイズに縮小する前のデータを用いたほうが望ましい。処理時間が長くなっても正確な情報を必要とするシステムでは、サンプリング対象をＪＰＥＧ伸張処理した縮小前においても元画像を読み出すようにしてもよい。
また、縮小画像から色情報を抽出する速度優先モードと、元画像から色情報を抽出する精度優先モードの選択をするようなシステムとしてもよい。
再生メニューでは、抽出した色情報の追加記録が選択できる。追加記録が選択されると、ＣＰＵ１０９は抽出した色情報と色情報を抽出したエリア２０４の情報を、ＳＤＲＡＭ１０２上の現在表示しているＪＰＥＧ画像のヘッダ部に追記し、メモリカード１０１へ書き戻す。
色情報のメモリカード１０１への書き込みは、画像ファイルのヘッダに直接書く方法のほかに、別のファイルとして保持するとしてもよいし、図５に示すように画像自体に重ねて書き込んでしまう（符号４２１）方法もある。
【００１６】
このカメラＡは内部に無線通信機能を有している。無線通信機能としては、無線ＬＡＮが内蔵されており、電子メールとして画像の送信やファクシミリへの直接送信が可能である。ここで通信システムを無線ＬＡＮとしたが、通信システムはＰＨＳやBluetoothの無線システムでも、ＵＳＢなどの有線通信システムでもよい。
通信機能を備えた機器であれば、さらにこの色情報は有効な情報となる。画像データを受信した出力側がモノクロのモニタやプリントシステムであっても、色情報が画像とともに送信されるか、画像ファイルのヘッダに記録されている画像を送信するか、又は画像内に直接書き込まれている画像を送信すれば、受信側が色情報を得ることができる。例えばモノクロファクシミリへ送信した場合でも、受信者はその物体の色を正確に認識することができる。
また、カラー出力システムは、出力機器によって色合いが必ずしも一致していない場合があり、同じ画像を出力しても、出力機器によって色合いが違って見えてしまう場合がある。色情報が画像とともに記録されているか、又は画像内に記録されていれば、出力機器の色再現特性が違っていても色の情報を正確に得ることができるようになる。
なお、本例では、撮像機能を持つデジタルスチルカメラを例として説明したが、これに限ったものではなく、電子手帳（ＰＤＡ）などの画像再生機能と表示機能と通信機能を有した機器でも本発明を提供することができる。メモリカード１０１に記録された画像を再生処理し、色情報をＣＰＵ１０９が読むことで色情報の抽出が可能となる。
【図面の簡単な説明】
【００１７】
【図１】本発明の一実施形態であるデジタルスチルカメラの外観図である。
【図２】本発明の一実施形態であるデジタルスチルカメラの電気的な接続のブロック図である。
【図３】デジタルスチルカメラのディスプレイ表示の説明図である。
【図４】デジタルスチルカメラのディスプレイ表示の説明図である。
【図５】デジタルスチルカメラのディスプレイ表示の説明図である。
【符号の説明】
【００１８】
Ａ  画像処理装置
１０  表示装置
１０２  記憶装置
【図１】
2006243410.tif 000003
【図２】
2006243410.tif 000004
【図３】
2006243410.tif 000005
【図４】
2006243410.tif 000006
【図５】
2006243410.tif 000007